(57)【要約】      （修正有）【課題】結合した消防用ホースを引きずったときや消防用ホースの運搬時等に結合金具に外力が作用しても、受け金具と差し金具の結合が解除されるのを防止できる。【解決手段】受け金具本体３、締め輪４、爪座５、爪６、板バネ７及び保護バンド９を備えた受け金具１と、差し金具本体１０及び押し輪１１を備えた差し金具２とから成る差込み式の結合金具において、前記差し金具２の押し輪１１は、押し輪１１の少なくとも先端部側に等角度ごとに形成され、押し輪１１を受け金具１内に押し込んだときに受け金具１の各爪６と非接触状態になる複数の切欠き部１１ｃと、各切欠き部１１ｃ間に形成され、押し輪１１を受け金具１内に押し込んだときに受け金具１の各爪６と差し金具本体１０との係止を外す複数の押込み部１１ａ′とを備えており、また、前記受け金具１は、結合保持位置に押し込まれた押し輪１１をその位置で固定保持する押し輪用固定保持手段を備えている。【選択図】図１
2017214949.tif 000002
【特許請求の範囲】
【請求項１】
筒状の受け金具本体（３）と、受け金具本体（３）の先端部に設けた筒状の締め輪（４）と、締め輪（４）内に嵌合された環状の爪座（５）と、爪座（５）に等角度ごとに配設され、爪座（５）の内方へ突出可能な複数の爪（６）と、各爪（６）を爪座（５）の内方へ付勢する複数の板バネ（７）と、締め輪（４）の外周面に嵌合された環状の保護バンド（９）とを備えた受け金具（１）と、先端部が前記受け金具（１）内に挿入されて受け金具（１）の各爪（６）に係止される筒状の差し金具本体（１０）と、差し金具本体（１０）の外周面に回転自在且つスライド自在に嵌合され、先端部が受け金具（１）内に押し込まれて受け金具（１）の各爪（６）と差し金具本体（１０）との係止を外すと共に、基端部に操作用の鍔部（１１ｂ）を形成した筒状の押し輪（１１）とを備えた差し金具（２）とから成る差込み式の結合金具において、前記差し金具（２）の押し輪（１１）は、押し輪（１１）の少なくとも先端部側に等角度ごとに形成され、押し輪（１１）を受け金具（１）内に押し込んだときに受け金具（１）の各爪（６）と非接触状態になる複数の切欠き部（１１ｃ）と、各切欠き部（１１ｃ）間に形成され、押し輪（１１）を受け金具（１）内に押し込んだときに受け金具（１）の各爪（６）と差し金具本体（１０）との係止を外す複数の押込み部（１１ａ′）とを備えており、各切欠き部（１１ｃ）と受け金具（１）の各爪（６）とが合致する状態で受け金具（１）内に押し込まれて受け金具（１）と差し金具（２）の結合状態を保持する結合保持位置と、各押込み部（１１ａ′）と受け金具（１）の各爪（６）とが合致する状態で受け金具（１）内に押し込まれて受け金具（１）と差し金具（２）の結合状態を解除する結合解除位置とを取り得るように構成され、また、前記受け金具（１）は、結合保持位置に押し込まれた押し輪（１１）をその位置で固定保持する押し輪用固定保持手段を備えていることを特徴とする差込み式の結合金具。
【請求項２】
前記押し輪（１１）は、結合保持位置にある押し輪（１１）を受け金具（１）から引き抜く際に指が引っ掛る指掛り部（１１ｄ）を備えていることを特徴とする請求項１に記載の差込み式の結合金具。
【請求項３】
前記押し輪（１１）の指掛り部（１１ｄ）は、押し輪（１１）の鍔部（１１ｂ）の外側面に連設され、外周面に指先が入る環状溝を備えた筒状に形成されていることを特徴とする請求項２に記載の差込み式の結合金具。
【請求項４】
前記押し輪用固定保持手段は、弾性材製の保護バンド（９）に一体的に突出形成され、結合保持位置に押し込まれた押し輪（１１）の鍔部（１１ｂ）の外周縁部に着脱自在に弾性係止される押し輪用固定爪（９ａ）から成ることを特徴とする請求項１に記載の差込み式の結合金具。
【請求項５】
前記押し輪用固定爪（９ａ）は、保護バンド（９）の外周縁部で且つ爪（６）の位置を示す位置に複数突出形成されていることを特徴とする請求項４に記載の差込み式の結合金具。
【請求項６】
前記押し輪用固定保持手段は、締め輪（４）の外周面と保護バンド（９）との間に挟持固定され、結合保持位置に押し込まれた押し輪（１１）の鍔部（１１ｂ）の外周縁部に着脱自在に弾性係止される押し輪用固定爪（１６ｂ）を備えた弾性材製の押し輪用固定リング（１６）から成ることを特徴とする請求項１に記載の差込み式の結合金具。
【請求項７】
前記押し輪用固定リング（１６）は、弾性材により周方向の一部が切り欠かれた略リング状に形成され、締め輪（４）の外周面に嵌合されて締め輪（４）と保護バンド（９）との間に挟持固定されるバンド部（１６ａ）と、バンド部（１６ａ）の一方の側縁部に一体的に突出形成され、結合保持位置に押し込まれた押し輪（１１）の鍔部（１１ｂ）の外周縁部に着脱自在に弾性係止される押し輪用固定爪（１６ｂ）とを備えていることを特徴とする請求項６に記載の差込み式の結合金具。
【請求項８】
前記押し輪用固定爪（１６ｂ）は、バンド部（１６ａ）の一方の側縁部で且つ爪（６）の位置を示す位置に複数突出形成されていることを特徴とする請求項７に記載の差込み式の結合金具。
【発明の詳細な説明】
【技術分野】
【０００１】
本発明は、例えば、消火活動に使用される消防用ホース同士を着脱自在に結合する受け金具及び差し金具から成る差込み式の結合金具の改良に係り、特に、結合金具により結合した消防用ホースを引きずったときや消防用ホースの運搬時等に結合金具に外力が作用しても、受け金具と差し金具の結合が解除されるのを防止することができると共に、既存の差込み式の結合金具にも容易に適用することができる差込み式の結合金具に関するものである。
【背景技術】
【０００２】
一般に、消防隊による消火活動においては、消防隊員が消防車から火災位置へ向って複数の消防用ホースを引き伸ばし、各消防用ホース同士を差込み式の結合金具により結合して消火活動を行うようにしている。
【０００３】
従来、消防用ホース同士を結合する差込み式の結合金具としては、消防用ホースの一端部に結合された受け金具と、別の消防用ホースの一端部に結合され、前記受け金具に着脱自在に結合される差し金具とから成る町野式（登録商標）の結合金具が広く利用されている。この結合金具は、消防用ホース同士の結合及び結合解除を簡単且つ容易に行え、操作性に極めて優れている。
【０００４】
図２０は従来の差込み式の結合金具を用いて消防用ホースＨ同士を結合した状態を示すものであり、前記差込み式の結合金具は、消防用ホースＨの一端部に結合した受け金具２０と、別の消防用ホースＨの一端部に結合した差し金具２１とから成る。
【０００５】
即ち、前記受け金具２０は、図２０に示す如く、消防用ホースＨの一端部に挿入される外周面が竹の子状に形成されたホース結合筒部２２ａ及びホース結合筒部２２ａに連設された筒状の受け口部２２ｂを有する受け金具本体２２と、受け金具本体２２の受け口部２２ｂの外周面に螺着された筒状の締め輪２３と、締め輪２３内に嵌合された環状の爪座２４と、爪座２４に等角度ごとに配設され、爪座２４の内方へ突出可能な円弧状の複数の爪２５と、締め輪２３と各爪２５との間に介設され、各爪２５を内方へ附勢する複数の板バネ２６と、受け金具本体２２内に装着されたシール用の環状パッキン２７と、締め輪２３の外周面に嵌合された環状の保護バンド２８とを備えている。
【０００６】
一方、前記差し金具２１は、図２０に示す如く、別の消防用ホースＨの一端部に挿入される外周面が竹の子状に形成されたホース結合筒部２９ａ及びホース結合筒部２９ａに連設されて先端部外周面に受け金具２０の爪２５に係止される環状突部２９ｃを形成した差込み筒部２９ｂを有する差し金具本体２９と、差し金具本体２９の外周面に軸線方向へスライド自在に外嵌され、先端部が受け金具２０内に押し込まれて受け金具２０の各爪２５と差し金具本体２２の環状突部２９ｃとの係止を外すと共に、基端部に操作用の鍔部３０ａを形成した筒状の押し輪３０と、差し金具本体２９の外周面に嵌められ、押し輪３０を抜け止めする止め輪３１とを備えている。
【０００７】
そして、前記受け金具２０及び差し金具２１は、受け金具本体２２のホース結合筒部２２ａ及び差し金具本体２９のホース結合筒部２９ａを各消防用ホースＨの一端部にそれぞれ挿入し、消防用ホースＨの端部外周面に筒状の保護布（図示省略）及び筒状の金属製のかしめ用リング３２を順次嵌合し、前記かしめ用リング３２をかしめ機でかしめることによって、消防用ホースＨの一端部に結合されている。
【０００８】
ところで、従来の差込み式の結合金具は、受け金具２０と差し金具２１の結合及び結合解除を簡単且つ容易に行える反面、差し金具２１の押し輪３０が差し金具本体２９に対してスライド自在なフリーの状態になっているため、図２１に示す如く、消防用ホースＨを引きずったときや消防用ホースＨの運搬時等に、押し輪３０が地面等との外部接触により受け金具２０と差し金具２１の結合を解除する方向へスライドし、受け金具２０と差し金具２１の結合が簡単に解除されてしまうと言う問題があった。
特に、消火活動時においては、消防隊員が消防用ホースＨを引きずりながら消火活動を行うため、受け金具２０と差し金具２１の結合が解除され易い。
【０００９】
また、消火活動中に消防隊員の操作ミスにより受け金具２０と差し金具２１が不用意に結合解除されることもあった。
【００１０】
このように、消火活動中に結合金具の受け金具２０と差し金具２１の結合が解除されると、送水が中断されて消火活動に支障を来たすだけでなく、結合が外れた消防用ホースＨの一端部が水圧により暴れ回り、操作者本人や周囲の人に危害を加えることもあった。
【００１１】
一方、消防用の差込み式の結合金具においては、受け金具と差し金具の結合が簡単に解除されないようにした差込み式の結合金具が開発されている（例えば、特許文献１及び特許文献２参照）。
【００１２】
即ち、前記差込み式の結合金具は、図示していないが、差し金具の差し金具本体の外周面と押し輪の内周面にそれぞれ環状の滑り止め溝を形成し、環状の滑り止め溝により押し輪の不用意なスライドを防止したり、或いは、差し金具の差し金具本体の外周面に形成した溝状の堰止め部と、押し輪の内周面に突出して前記堰止め部に嵌る突部とにより押し輪の不用意なスライドを防止したりするようにしている。
【００１３】
しかしながら、前記各差込み式の結合金具は、差し金具本体の外周面と押し輪の内周面との間にクリアランスが形成されていると共に、環状の滑り止め溝や溝状の堰止め部が比較的浅く形成されているため、押し輪に大きな外力が作用したときに、押し輪が簡単にスライドしてしまい、受け金具と差し金具の結合が簡単に解除されてしまうことがあり、結合金具の外力による結合解除の問題を完全に解決することは困難であった。
【先行技術文献】
【特許文献】
【００１４】
【特許文献１】特開２０１６−１４４７７号公報
【特許文献２】特許第５８６３１５９号公報
【発明の概要】
【発明が解決しようとする課題】
【００１５】
本発明は、このような問題点に鑑みて為されたものであり、その目的は、受け金具及び差し金具から成る差込み式の結合金具により結合した消防用ホースを引きずったときや消防用ホースの運搬時等に結合金具に外力が作用しても、受け金具と差し金具の結合が解除されるのを防止することができると共に、既存の差込み式の結合金具にも容易に適用することができるようにした差込み式の結合金具を提供することにある。
【課題を解決するための手段】
【００１６】
本発明に係る差込み式の結合金具は、筒状の受け金具本体と、受け金具本体の先端部に設けた筒状の締め輪と、締め輪内に嵌合された環状の爪座と、爪座に等角度ごとに配設され、爪座の内方へ突出可能な複数の爪と、各爪を爪座の内方へ付勢する複数の板バネと、締め輪の外周面に嵌合された環状の保護バンドとを備えた受け金具と、先端部が前記受け金具内に挿入されて受け金具の各爪に係止される筒状の差し金具本体と、差し金具本体の外周面に回転自在且つスライド自在に嵌合され、先端部が受け金具内に押し込まれて受け金具の各爪と差し金具本体との係止を外すと共に、基端部に操作用の鍔部を形成した筒状の押し輪とを備えた差し金具とから成る差込み式の結合金具において、前記差し金具の押し輪は、押し輪の少なくとも先端部側に等角度ごとに形成され、押し輪を受け金具内に押し込んだときに受け金具の各爪と非接触状態になる複数の切欠き部と、各切欠き部間に形成され、押し輪を受け金具内に押し込んだときに受け金具の各爪と差し金具本体との係止を外す複数の押込み部とを備えており、各切欠き部と受け金具の各爪とが合致する状態で受け金具内に押し込まれて受け金具と差し金具の結合状態を保持する結合保持位置と、各押込み部と受け金具の各爪とが合致する状態で受け金具内に押し込まれて受け金具と差し金具の結合状態を解除する結合解除位置とを取り得るように構成され、また、前記受け金具は、結合保持位置に押し込まれた押し輪をその位置で固定保持する押し輪用固定保持手段を備えていることに特徴がある。
【００１７】
前記押し輪は、結合保持位置にある押し輪を受け金具から引き抜く際に指が引っ掛る指掛り部を備えていることが好ましい。
【００１８】
前記押し輪の指掛り部は、押し輪の鍔部の外側面に連設され、外周面に指先が入る環状溝を備えた筒状に形成されていることが好ましい。
【００１９】
前記押し輪用固定保持手段は、弾性材製の保護バンドに一体的に突出形成され、結合保持位置に押し込まれた押し輪の鍔部の外周縁部に着脱自在に弾性係止される押し輪用固定爪から成ることが好ましい。
【００２０】
前記押し輪用固定爪は、保護バンドの外周縁部で且つ爪の位置を示す位置に複数突出形成されていることが好ましい。
【００２１】
前記押し輪用固定保持手段は、締め輪の外周面と保護バンドとの間に挟持固定され、結合保持位置に押し込まれた押し輪の鍔部の外周縁部に着脱自在に弾性係止される押し輪用固定爪を備えた弾性材製の押し輪用固定リングから成ることが好ましい。
【００２２】
前記押し輪用固定リングは、弾性材により周方向の一部が切り欠かれた略リング状に形成され、締め輪の外周面に嵌合されて締め輪と保護バンドとの間に挟持固定されるバンド部と、バンド部の一方の側縁部に一体的に突出形成され、結合保持位置に押し込まれた押し輪の鍔部の外周縁部に着脱自在に弾性係止される押し輪用固定爪とを備えていることが好ましい。
【００２３】
前記押し輪用固定爪は、バンド部の一方の側縁部で且つ爪の位置を示す位置に複数突出形成されていることが好ましい。
【発明の効果】
【００２４】
本発明に係る差込み式の結合金具は、受け金具と差し金具の結合状態を解除操作する差し金具の押し輪の先端部に、受け金具の各爪と非接触状態になって受け金具と差し金具の結合状態を保持する複数の切欠き部と、受け金具の各爪と差し金具との係止を外す複数の押込み部とをそれぞれ形成し、前記押し輪が、各切欠き部と受け金具の各爪とが合致する状態で受け金具内に押し込まれて受け金具と差し金具の結合状態を保持する結合保持位置と、各押込み部と受け金具の各爪とが合致する状態で受け金具内に押し込まれて受け金具と差し金具の結合状態を解除する結合解除位置とに亘って回転自在且つスライド自在に構成され、また、受け金具に、結合保持位置に押し込まれた押し輪をその位置で固定保持する押し輪用固定保持手段を設ける構成としているため、受け金具と差し金具を結合し、差し金具の押し輪を結合保持位置にして受け金具の押し輪用固定保持手段により固定保持すると、押し輪が外部との接触により外力を受けても、不用意に動くと言うことがない。
その結果、本発明に係る差込み式の結合金具は、消防用ホースを引きずったときや消防用ホースの運搬時等に押し輪が地面等と接触して外力を受けても、押し輪が受け金具と差し金具の結合状態を解除する方向へ動くと言うことがなく、受け金具と差し金具の結合が解除されるのを確実に防止することができる。
【００２５】
また、本発明に係る差込み式の結合金具は、押し輪に指が引っ掛る指掛り部を設けているため、結合保持位置にある押し輪を受け金具から容易に引き抜くことができる。特に、押し輪の指掛り部を、外周面に指先が入る環状溝を備えた筒状に形成しているため、押し輪がどの位置に回転していても、指掛り部に指を掛けることができ、受け金具からの押し輪の引き抜きを円滑且つスムースに行える。
【００２６】
更に、本発明に係る差込み式の結合金具は、保護バンドに押し輪の鍔部に弾性係止される押し輪用固定爪を形成したり、或いは、締め輪と保護バンドの間に挟持固定した押し輪用固定リングに押し輪の鍔部に弾性係止される押し輪用固定爪を形成しているため、押し輪を受け金具内へ押し込むだけで、押し輪用固定爪と押し輪の鍔部との係止を簡単且つ容易に行える。また、保護バンドや押し輪用固定リングに複数の押し輪用固定爪を形成しているため、押し輪を結合保持位置に確実且つ良好に固定保持することができる。
【００２７】
更に、本発明に係る差込み式の結合金具は、既存の差し金具の押し輪を、切欠き部及び指掛り部を備えた押し輪に交換し、また、既存の受け金具の保護バンドを、押し輪用固定爪を形成した保護ハンドに交換したり、或いは、締め輪と保護バントとの間に押し輪用固定爪を備えた押し輪用固定リングを挟み込むことで、既存の差込み式の結合金具であっても、消防用ホースの引きずり時等に受け金具と差し金具の結合が解除されるのを防止することができ、既存の差込み式の結合金具にも容易に適用することができる。
【図面の簡単な説明】
【００２８】
【図１】本発明の実施形態に係る受け金具及び差し金具から成る差込み式の結合金具を示し、結合金具を用いて消防用ホース同士を結合した状態を示す一部破断正面図である。
【図２】受け金具と差し金具の結合を解除した状態を示す結合金具の一部破断正面図である。
【図３】結合金具の受け金具に用いる保護バンドを示し、（ａ）は保護バンドの正面図、（ｂ）は保護バンドの側面図、（ｃ）は（ｂ）のＡ−Ａ線断面図である。
【図４】結合金具の差し金具に用いる押し輪を示し、（ａ）は押し輪の側面図、（ｂ）は押し輪の正面図、（ｃ）は押し輪の底面図、（ｄ）は（ａ）のＢ−Ｂ線断面図である。
【図５】結合金具の結合方法を示し、（ａ）は差し金具本体の先端部を受け金具内に挿入した状態の一部破断正面図、（ｂ）は受け金具の爪が差し金具本体により外方へ押し広げられた状態の一部破断正面図、（ｃ）は受け金具の爪と差し金具本体とが係止された状態の一部破断正面図である。
【図６】結合金具の結合方法を示し、（ａ）は押し輪を回転させて押し輪の切欠き部と受け金具の爪とを合致させた状態の一部破断正面図、（ｂ）は押し輪を受け金具内に押し込んで行く状態の一部破断正面図、（ｃ）は押し輪の鍔部に保護バンドに形成した押し輪用固定爪が係止された状態の一部破断正面図である。
【図７】本発明の差込み式の結合金具により結合した消防用ホースを引っ張っている状態を示し、（ａ）は押し輪の鍔部が地面の突起物に接触した状態の一部破断正面図、（ｂ）は結合金具が地面の突起物を乗り越える状態の一部破断正面図、（ｃ）は結合金具が地面の突起物を完全に乗り越えた状態の一部破断正面図である。
【図８】結合金具の結合解除方法を示し、（ａ）は押し輪を受け金具から引き抜いた状態の一部破断正面図、（ｂ）は押し輪を回転させて押し輪の押込み部と受け金具の爪とを合致させた状態の一部破断正面図、（ｃ）は受け金具の爪が押し輪により外方へ押し広げられた状態の一部破断正面図、（ｄ）は受け金具と差し金具の結合が完全に解除された状態の一部破断正面図である。
【図９】押し輪用固定保持手段の他の例を示し、押し輪用固定保持手段が弾性材製の押し輪用固定リングから成り、（ａ）は押し輪用固定リングの正面図、（ｂ）は押し輪用固定リングの側面図、（ｃ）は（ｂ）のＣ−Ｃ線断面図である。
【図１０】図９に示す押し輪用固定リングを備えた結合金具の一部破断正面図である。
【図１１】押し輪の他の例を示し、（ａ）は押し輪の側面図、（ｂ）は押し輪の正面図、（ｃ）は押し輪の底面図である。
【図１２】押し輪の更に他の例を示し、（ａ）は押し輪の側面図、（ｂ）は押し輪の正面図、（ｃ）は押し輪の底面図である。
【図１３】押し輪の更に他の例を示し、（ａ）は押し輪の側面図、（ｂ）は押し輪の正面図、（ｃ）は押し輪の底面図である。
【図１４】押し輪の更に他の例を示し、（ａ）は押し輪の側面図、（ｂ）は押し輪の正面図、（ｃ）は押し輪の底面図である。
【図１５】押し輪の更に他の例を示し、（ａ）は押し輪の側面図、（ｂ）は押し輪の正面図、（ｃ）は押し輪の底面図である。
【図１６】押し輪の更に他の例を示し、（ａ）は押し輪の側面図、（ｂ）は押し輪の正面図、（ｃ）は押し輪の底面図である。
【図１７】押し輪の更に他の例を示し、（ａ）は押し輪の側面図、（ｂ）は押し輪の正面図、（ｃ）は押し輪の底面図である。
【図１８】本発明を既存の差込み式の結合金具に適用し、既存の結合金具を本発明の結合金具に変更する方法を示し、（ａ）は既存の差し金具本体から既存の押し輪及び止め輪を外した状態の一部破断正面図、（ｂ）は既存の差し金具本体に本発明の押し輪及び締め輪を嵌め込む状態の一部破断正面図、（ｃ）は既存の差し金具本体に本発明の押し輪及び締め輪を取り付けた状態の一部破断正面図である。
【図１９】本発明を既存の差込み式の結合金具に適用し、既存の結合金具を本発明の結合金具に変更する方法を示し、（ａ）は既存の受け金具本体から既存の保護バントを外した状態の一部破断正面図、（ｂ）は既存の受け金具本体に本発明の保護バンドを嵌め込む状態の一部破断正面図、（ｃ）は既存の受け金具本体に本発明の保護バンドを取り付けた状態の一部破断正面図である。
【図２０】従来の差込み式の結合金具の一部破断正面図である。
【図２１】従来の差込み式の結合金具により結合した消防用ホースを引っ張っている状態を示し、（ａ）は押し輪の鍔部が地面の突起物に接触した状態の一部破断正面図、（ｂ）は押し輪が地面の突起物により受け金具内に押し込まれた状態の一部破断正面図、（ｃ）は受け金具と差し金具の結合が解除された状態の一部破断正面図である。である。
【発明を実施するための形態】
【００２９】
以下、本発明の実施形態を図面に基づいて詳細に説明する。
図１及び図２は本発明の一実施形態に係る差込み式の結合金具を示し、当該差込み式の結合金具は、例えば、消防用ホースＨ同士を着脱自在に結合するものであり、消防用ホースＨの一端部に結合された受け金具１と、別の消防用ホースＨの一端部に結合され、前記受け金具１に着脱自在に結合される差し金具２とから成る。
【００３０】
即ち、前記受け金具１は、図１及び図２に示す如く、基端部が消防用ホースＨの一端部に結合される筒状の受け金具本体３と、受け金具本体３の先端部に設けた筒状の締め輪４と、締め輪４内に嵌合された環状の爪座５と、爪座５に等角度ごとに配設され、爪座５の内方へ突出可能な三つの爪６と、各爪６を爪座５の内方へ付勢する三つの板バネ７と、受け金具本体３内に挿着されたシール用の環状パッキン８と、締め輪４の外周面に嵌合された環状の保護バンド９とを備えている。
【００３１】
一方、前記差し金具２は、図１及び図２に示す如く、基端部が消防用ホースＨの一端部に結合され、先端部が前記受け金具１内に挿入されて受け金具１の各爪６に係止される筒状の差し金具本体１０と、差し金具本体１０の外周面に円周方向へ回転自在且つ軸線方向へスライド自在に嵌合され、先端部が受け金具１内に押し込まれて受け金具１の各爪６と差し金具本体１０との係止を外すと共に、基端部に操作用の鍔部１１ｂを形成した筒状の押し輪１１とを備えている。
【００３２】
尚、前記受け金具１及び差し金具２は、受け金具本体３の基端部及び差し金具本体１０の基端部を消防用ホースＨの一端部にそれぞれ挿入し、消防用ホースＨの一端部外周面に筒状の保護布（図示省略）及び筒状の金属製のかしめ用リング１２を順次嵌合し、前記かしめ用リング１２をかしめ機でかしめることによって、消防用ホースＨの端部に結合されている。  
【００３３】
そして、前記差込み式の結合金具において、差し金具２の押し輪１１は、押し輪１１を受け金具１内に押し込んだときに受け金具１の各爪６と非接触状態になって受け金具１と差し金具２の結合状態を保持する複数の切欠き部１１ｃと、各切欠き部１１ｃ間に形成されて受け金具１の各爪６と差し金具本体１０との係止を外す複数の押込み部１１ａ′とを備えており、各切欠き部１１ｃと受け金具１の各爪６とが合致する状態で受け金具１内に押し込まれて受け金具１と差し金具２の結合状態を保持する結合保持位置と、各押込み部１１ａ′と受け金具１の各爪６とが合致する状態で受け金具１内に押し込まれて受け金具１と差し金具２の結合状態を解除する結合解除位置とを取り得るように構成されている。
【００３４】
また、受け金具１は、結合保持位置に押し込まれた押し輪１１をその位置で固定保持する押し輪用固定保持手段を備えている。
【００３５】
次に、上述した差込み式の結合金具の受け金具１及び差し金具２の各部品について詳述する。
【００３６】
前記受け金具１の受け金具本体３は、アルミ合金や銅合金鋳物等の金属材により段付きの筒状に形成されており、消防用ホースＨの一端部に挿入される外周面が竹の子状に形成されたホース結合筒部３ａと、ホース結合筒部３ａに連設されてホース結合筒部３ａよりも大径に形成された筒状の受け口部３ｂとを備えている。
尚、受け口部３ｂの奥部の内周面には、断面形状がＵ形の合成ゴム製の環状パッキン８が嵌め込まれている。
【００３７】
また、受け金具１の締め輪４は、アルミ合金や銅合金鋳物等の金属材により筒状に形成されており、受け金具本体３の受け口部３ｂの外周面に着脱自在に螺着され、締め輪４及び受け口部３ｂに螺挿したビス１３により受け口部３ｂから抜け止めされている。
【００３８】
更に、受け金具１の爪座５は、アルミ合金や銅合金鋳物等の金属材により環状に形成されており、締め輪４内に嵌め込まれ、締め輪４を受け金具本体３の受け口部３ｂの外周面に螺着することにより締め輪４と差し金具本体１０の受け口部３ｂとの間に挟持固定されている。
【００３９】
更に、受け金具１の各爪６は、アルミ合金や銅合金鋳物等の金属材により円弧状に形成されており、爪座５に爪座５の内方へ突出可能に保持されている。
尚、各爪６の内周面は、差し金具２を差し込む際にガイド面として機能するように傾斜面６ａに形成されている。
【００４０】
更に、受け金具１の各板バネ７は、弾性材製の金属板により形成されており、中央部が爪６の外周面にピン１４により固定され、両端部が締め輪４の内周面に弾性的に当接して爪６を爪座５の内方へ付勢するようになっている。
【００４１】
更に、受け金具１の保護バンド９は、弾性を有する合成ゴム材により環状に形成されており、締め輪４の外周面に嵌合されている。この保護バンド９には、結合保持位置にある押し輪１１をその位置で固定保持する押し輪用固定保持手段が設けられている。
【００４２】
即ち、前記押し輪用固定保持手段は、図１及び図２に示す如く、保護バンド９の外周縁部に保護バンド９の一方の側面（押し輪１１に対向する側面）から外方へ突出する状態で一体的に形成され、結合保持位置にある押し輪１１の鍔部１１ｂの外周縁部に弾性係止される円弧状の押し輪用固定爪９ａから成る。
【００４３】
また、押し輪用固定爪９ａは、図３に示す如く、保護バンド９の外周縁部に等角度で且つ爪６の位置を示す位置に三つ形成されており、各押し輪用固定爪９ａの円周方向の幅は、６０度になるように設定されている。
【００４４】
更に、各押し輪用固定爪９ａは、図１〜図３に示す如く、押し輪用固定爪９ａの内周面に形成され、押し輪１１の鍔部１１ｂの外周縁部が嵌り込む円弧状の嵌合溝９ｂと、押し輪用固定爪９ａの先端部に形成され、押し輪１１の鍔部１１ｂの外周縁部に弾性的に係止される円弧状の爪部９ｃとをそれぞれ備えている。
尚、嵌合溝９ｂの大きさ及び爪部９ｃの大きさは、押し輪１１が結合保持位置に押し込まれて押し輪１１の鍔部１１ｂの外周縁部が押し輪用固定爪９ａに弾性係止されたときに押し輪用固定爪９ａが押し輪１１の鍔部１１ｂから簡単に外れない程度に設定されている。
【００４５】
一方、前記差し金具２の差し金具本体１０は、アルミ合金や銅合金鋳物等の金属材により筒状に形成されており、消防用ホースＨの一端部に挿入される外周面が竹の子状に形成されたホース結合筒部１０ａと、ホース結合筒部１０ａに連設されて先端部外周面に受け金具１の各爪６に係止される環状突部１０ｃを形成した差込み筒部１０ｂとを備えている。
尚、ホース結合筒部１０ａと差込み筒部１０ｂとの境界部分には、差込み筒部１０ｂの外周面に嵌合された押し輪１１を抜け止めするためのリング状の止め輪１５が設けられている。
【００４６】
また、差し金具２の押し輪１１は、アルミ合金や銅合金鋳物等の金属材により筒状に形成されており、差し金具本体１０の差込み筒部１０ｂの外周面に円周方向へ回転自在且つ軸線方向へスライド自在に嵌合されている。
【００４７】
即ち、前記押し輪１１は、図１、図２及び図４に示す如く、差し金具本体１０の差込み筒部１０ｂの外周面に円周方向へ回転自在且つ軸線方向へスライド自在に嵌合される押込み筒部１１ａと、押込み筒部１１ａの基端部に連設された鍔部１１ｂと、押込み筒部１１ａの先端部に等角度ごとに形成され、押し輪１１を受け金具１に押し込んだときに受け金具１の各爪６と非接触状態になって受け金具１と差し金具２の結合状態を保持する三つの切欠き部１１ｃと、各切欠き部１１ｃ間に形成され、押し輪１１を受け金具１に押し込んだときに受け金具１の各爪６と差し金具本体１０との係止を外す三つの押込み部１１ａ′と、鍔部１１ｂの外側面に連設され、外周面に指先が入る環状溝を形成した筒状の指掛り部１１ｄとを備えている。
【００４８】
また、押し輪１１の各切欠き部１１ｃは、図４に示す如く、台形状に形成されており、各切欠き部１１ｃの幅は、受け金具１の爪６の長さよりも大きめに形成されていると共に、各切欠き部１１ｃの深さは、受け金具１の爪６全体が切欠き部１１ｃ内に非接触状態で収容されるように設定されている。
【００４９】
更に、押し輪１１の各押込み部１１ａ′は、図４に示す如く、両端が鍔部１１ｂに近づくに従って幅が漸次広くなるテーパー状に形成されており、切欠き部１１ｃの台形形状と反対向きの台形形状に形成されている。
【００５０】
そして、前記押し輪１１は、各切欠き部１１ｃと受け金具１の各爪６とが合致する状態で受け金具１内に押し込まれて受け金具１と差し金具２の結合状態を保持する結合保持位置（図１及び図６（ｃ）参照）と、各押込み部１１ａ′と受け金具１の各爪６とが合致する状態で受け金具１内に押し込まれて受け金具１と差し金具２の結合状態を解除する結合解除位置（図８（ｃ）参照）とを取り得るように構成されている。
【００５１】
而して、上述した差込み式の結合金具の受け金具１と差し金具２を結合する場合には、先ず、差し金具本体１０の差込み筒部１０ｂを受け金具１の環状の締め輪４及び爪座５内に差し込む。そうすると、差込み筒部１０ｂの先端が爪座５の内方へ突出している爪６に当接するが、爪６の内面が傾斜面６ａとなっているために差し金具本体１０の押圧力によって爪６が板バネ７の弾性力に抗して外方へ押し広げられる。これにより、差し金具本体１０の差込み筒部１０ｂは、爪座５内に順次差し込まれて行く（図５（ａ）及び図５（ｂ）参照）。
【００５２】
差し金具本体１０の差込み筒部１０ｂに形成した環状突部１０ｃが受け金具１の各爪６を越える位置まで差し込まれると、爪６が板バネ７の弾性力により爪座５の内方へ突出し、差込み筒部１０ｂの環状突部１０ｃの背面側へ係止される（図５（ｃ）参照）。これにより受け金具１と差し金具２は、抜け止めされた状態に結合される。
【００５３】
受け金具１と差し金具２が結合されたら、押し輪１１を操作して結合保持位置にし、押し輪用固定爪９ａにより押し輪１１を結合保持位置に固定保持する。即ち、押し輪１１の各切欠き部１１ｃが受け金具１の各爪６と合致するように押し輪１１を回転操作し、この状態で押し輪１１を受け金具１内に押し込んで行く（図６（ａ）参照）。そうすると、押し輪１１の鍔部１１ｂが保護バンド９に設けた押し輪用固定爪９ａに当接し、これにより押し輪用固定爪９ａが外方へ押し広げられ、押し輪用固定爪９ａに形成した円弧状の嵌合溝９ｂと押し輪１１の鍔部１１ｂの外周縁部とが合致した時点で押し輪用固定爪９ａの嵌合溝９ｂに押し輪１１の鍔部１１ｂの外周縁部が嵌合されると共に、押し輪１１の鍔部１１ｂの外周縁部に押し輪用固定爪９ａに形成した爪部９ｃが弾性係止される（図６（ｂ）及び図６（ｃ）参照）。その結果、押し輪１１は、押し輪用固定爪９ａにより結合保持位置に固定保持されることなる。
【００５４】
このように、受け金具１と差し金具２を結合し、差し金具２の押し輪１１を結合保持位置にして受け金具１の押し輪用固定爪９ａにより固定保持すると、押し輪１１が外部との接触により外力を受けても、不用意に動くと言うことがない。
その結果、上述した差込み式の結合金具は、消防用ホースＨを引きずったときや消防用ホースＨの運搬時等に押し輪１１が地面等と接触して外力を受けても、押し輪１１が受け金具１と差し金具２の結合状態を解除する方向へ動くと言うことがなく、受け金具１と差し金具２の結合が解除されるのを確実に防止することができると共に、押し輪１１が地面の突起物を乗り越えることが可能となる（図７（ａ）、図７（ｂ）及び図７（ｃ）参照）。
【００５５】
一方、差込み式の結合金具の受け金具１と差し金具２の結合を解除する場合には、結合保持位置にある押し輪１１の指掛り部１１ｄに指を引っ掛け、この状態で押し輪１１を受け金具１から引き抜き、フリーの状態にする（図８（ａ）参照）。
【００５６】
押し輪１１がフリーの状態になったら、押し輪１１の各押込み部１１ａ′が受け金具１の各爪６と合致するように押し輪１１を回転操作し、この状態で押し輪１１を受け金具１内に押し込む（図８（ｂ）及び図８（ｃ）参照）。そうすると、押し輪１１の各押込み部１１ａ′が受け金具１の爪６の傾斜面６ａを押し、各爪６が板バネ７の弾性力に抗して差し金具２の環状突部１０ｃの外径よりも外方へ押し広げられ、環状突部１０ｃと各爪６の係止が外れる。これによって、受け金具１から差し金具２を引き抜くことができ、受け金具１と挿し金具の結合を解除することができる（図８（ｄ）参照）。
【００５７】
図９は押し輪用固定保持手段の他の例を示し、また、図１０は前記押し輪用固定保持手段を用いた差込み式の結合金具を示すものである。
【００５８】
前記押し輪用固定保持手段は、締め輪４の外周面と保護バンド９との間に挟持固定され、結合保持位置に押し込まれた押し輪１１の鍔部１１ｂの外周縁部に弾性係止される押し輪用固定爪１６ｂを備えた弾性材製の押し輪用固定リング１６から成る。
【００５９】
即ち、前記押し輪用固定リング１６は、図９及び図１０に示す如く、弾性を有する金属板により形成されており、周方向の一部が切り欠かれた略リング状に形成され、締め輪４の外周面に嵌合されて締め輪４と保護バンド９との間に挟持固定されるバンド部１６ａと、バンド部１６ａの一方の側縁部に一体的に突出形成され、結合保持位置に押し込まれた押し輪１１の鍔部１１ｂの外周縁部に弾性係止される円弧状で且つ板状の押し輪用固定爪１６ｂとを備えている。
【００６０】
また、押し輪用固定爪１６ｂは、バンド部１６ａの一方の側縁部に等角度で且つ爪６の位置を示す位置に三つ形成されており、各押し輪用固定爪１６ｂの円周方向の幅は、６０度になるように設定されている。
【００６１】
更に、各押し輪用固定爪１６ｂの大きさ及び形状は、押し輪１１が結合保持位置に押し込まれて押し輪１１の鍔部１１ｂの外周縁部が押し輪用固定爪１６ｂに弾性係止されたときに押し輪用固定爪１６ｂが押し輪１１の鍔部１１ｂから簡単に外れない程度に設定されている。
【００６２】
図９に示す押し輪用固定リング１６を用いた差込み式の結合金具も、図３に示す保護バンド９を用いた差込み式の結合金具と同様の作用効果を奏することができる。
【００６３】
図１１は押し輪１１の他の例を示し、この押し輪１１は、押込み筒部１１ａに押込み筒部１１ａの先端から基端に亘って三つの切欠き部１１ｃを等角度ごとに形成し、押込み筒部１１ａを切欠き部１１ｃにより完全に切り欠いたものであり、押込み筒部１１ａの先端部が押込み部１１ａ′となっている。
【００６４】
図１２は押し輪１１の更に他の例を示し、この押し輪１１は、押込み筒部１１ａの先端部側のみに切欠き部１１ｃを形成すると共に、押込み部１１ａ′の両端を平行に形成したものである。
【００６５】
図１３は押し輪１１の更に他の例を示し、この押し輪１１は、押込み筒部１１ａに押込み筒部１１ａの先端から基端に亘って切欠き部１１ｃを形成し、押込み筒部１１ａを切欠き部１１ｃにより完全に切り欠いたものであり、押込み部１１ａ′の両端を平行に形成したものである。
【００６６】
図１４は押し輪１１の更に他の例を示し、この押し輪１１は、押込み部１１ａ′の両端をテーパー状に形成すると共に、押込み部１１ａ′の幅を狭くし、且つ押込み筒部１１ａの先端部側のみに切欠き部１１ｃを形成したものである。
【００６７】
図１５は押し輪１１の更に他の例を示し、この押し輪１１は、押込み部１１ａ′の両端をテーパー状に形成すると共に、押込み部１１ａ′の幅を狭くし、且つ押込み筒部１１ａに押込み筒部１１ａの先端から基端に亘って切欠き部１１ｃを形成し、押込み筒部１１ａを切欠き部１１ｃにより完全に切り欠いたものである。
【００６８】
図１６は押し輪１１の更に他の例を示し、この押し輪１１は、押込み部１１ａ′の両端を平行に形成すると共に、押込み部１１ａ′の幅を狭くし、且つ押込み筒部１１ａの先端部側のみに切欠き部１１ｃを形成したものである。
【００６９】
図１７は押し輪１１の更に他の例を示し、この押し輪１１は、押込み部１１ａ′の両端を平行に形成すると共に、押込み部１１ａ′の幅を狭くし、且つ押込み筒部１１ａに押込み筒部１１ａの先端から基端に亘って切欠き部１１ｃを形成し、押込み筒部１１ａを切欠き部１１ｃにより完全に切り欠いたものである。
【００７０】
図１１〜図１７に示す押し輪１１を用いた差込み式の結合金具も、図４に示す押し輪１１を用いた差込み式の結合金具と同様の作用効果を奏することができる。
【００７１】
図１８及び図１９は本発明を既存の差込み式の結合金具に適用したものである。即ち、既存の差し金具２１の押し輪３０を差し金具本体２２から取り外し、本発明の切欠き部１１ｃ及び指掛り部１１ｄを備えた押し輪１１に交換し、また、既存の受け金具２０の保護バンド２８を締め輪２３から取り外し、本発明の押し輪用固定爪９ａを設けた保護バンド９に交換したものである。
尚、図１９においては、既存の受け金具２０の保護バンド２８を押し輪用固定爪９ａを設けた保護バンド９に交換したが、弾性材により形成した押し輪用固定リング１６を既存の受け金具２０の締め輪２３と保護バンド２８の間に挟み込むようにしても良い。
【００７２】
このように、本発明を既存の差込み式の結合金具に適用した場合、既存の差込み式の結合金具であっても、消防用ホースＨの引きずり時等に受け金具２０と差し金具２１の結合が解除されるのを防止することができる。
【００７３】
尚、上記の実施形態においては、保護バンド９又は押し輪用固定リング１６に押し輪用固定爪９ａ，１６ｂを三つ形成するようにしたが、他の実施形態においては、保護バンド９又は押し輪用固定リング１６に押し輪用固定爪９ａ，１６ｂを一つ又は四つ以上形成しても良い。また、押し輪用固定爪９ａ，１６ｂの形状も図３及び図９に示す形状のものに限定されるものではなく、押し輪１１の鍔部１１ｂの外周縁部に弾性係止されて押し輪１１を結合保持位置に固定保持することができれば、如何なる形状であっても良い。
【００７４】
また、上記の実施形態においては、弾性を有する金属板により押し輪用固定リング１６を形成したが、他の実施形態においては、弾性を有する合成樹脂板により押し輪用固定リング１６を形成しても良い。
【００７５】
更に、上記の実施形態においては、押し輪１１の押込み部１１ａ′の両端をテーパー状に形成したり、平行に形成したりして押込み部１１ａ′及び切欠き部１１ｃを台形状に形成したり、長方形状に形成したりしたが、押し輪１１の押込み部１１ａ′及び切欠き部１１ｃの形状及び大きさは、上記の各実施形態に限定されるものではなく、押し輪１１が結合保持位置に押し込まれたときには受け金具１の各爪６と干渉せず、また、押し輪１１が押し輪１１の各差込み部１１ａ′と受け金具１の各爪６が合致する状態で受け金具１内に押し込まれたときには受け金具１と差し金具２の結合状態を解除することができれば、如何なる形状及び大きさであっても良い。
【００７６】
更に、上記の実施形態においては、押し輪１１の指掛り部１１ｄを外周面に指先が入る環状溝を備えた筒状に形成したが、押し輪１１の指掛り部１１ｄの形状は、上記の実施形態のものに限定されるものではなく、指掛り部１１ｄを掴み易く、結合保持位置に押込まれた押し輪１１の指掛り部１１ｄに指を引っ掛け、この状態で押し輪１１を受け金具１から引き抜くことができれば、如何なる形状であっても良い。
【産業上の利用可能性】
【００７７】
本発明は、差込み式の結合金具を用いて消防用ホースＨ同士を着脱自在に結合するようにしたが、本発明の差込み式の結合金具を用いて消防用ホースＨと消火栓弁、消防用ホースＨとノズル、消防用ホースＨと消防車自動車の吐出口をそれぞれ着脱自在に結合するようにしても良い。
【符号の説明】
【００７８】
１は受け金具、２は差し金具、３は受け金具本体、３ａはホース結合筒部、３ｂは受け口部、４は締め輪、５は爪座、６は爪、６ａは傾斜面、７は板バネ、８は環状パッキン、９は保護バンド、９ａは押し輪用固定爪、９ｂは嵌合溝、９ｃは爪部、１０は差し金具本体、１０ａはホース結合筒部、１０ｂは差込み筒部、１０ｃは環状突部、１１は押し輪、１１ａは押込み筒部、１１ａ′は押込み部、１１ｂは鍔部、１１ｃは切欠き部、１１ｄは指掛り部、１２はかしめ用リング、１３はビス、１４はピン、１５は止め輪、１６は押し輪用固定リング、１６ａはバンド部、１６ｂは押し輪用固定爪、Ｈは消防用ホース。
【図１】
2017214949.tif 000003
【図２】
2017214949.tif 000004
【図３】
2017214949.tif 000005
【図４】
2017214949.tif 000006
【図５】
2017214949.tif 000007
【図６】
2017214949.tif 000008
【図７】
2017214949.tif 000009
【図８】
2017214949.tif 000010
【図９】
2017214949.tif 000011
【図１０】
2017214949.tif 000012
【図１１】
2017214949.tif 000013
【図１２】
2017214949.tif 000014
【図１３】
2017214949.tif 000015
【図１４】
2017214949.tif 000016
【図１５】
2017214949.tif 000017
【図１６】
2017214949.tif 000018
【図１７】
2017214949.tif 000019
【図１８】
2017214949.tif 000020
【図１９】
2017214949.tif 000021
【図２０】
2017214949.tif 000022
【図２１】
2017214949.tif 000023